(57)【要約】【課題】初心者でも楽に獲物を捕獲することができるようにする。【解決手段】ギャフ１は、イカやタコ等の軟体動物（獲物）ＸＡ１を捕獲する漁具であり、柄５の先端を獲物ＸＡ１に向け、当該柄５の先端に当該獲物ＸＡ１を引っ掛ける。このギャフ１は、柄５の先端から獲物ＸＡ１に向けて放射状に延びて傘骨様に配置される複数の鉤１３を備えている。これら複数の鉤１３の先端は、それぞれ、当該複数の鉤１３に囲われる空間に向けた内側に屈曲又は湾曲している。【選択図】図３
2014011981.tif 000002
【特許請求の範囲】
【請求項１】
柄の先端を獲物に向け、該柄の先端に該獲物を引っ掛ける漁具であって、
前記柄の先端から前記獲物に向けて放射状に延びて傘骨様に配置される複数の鉤を備え、
前記複数の鉤の先端は、それぞれ、該複数の鉤に囲われる空間に向けた内側に屈曲又は湾曲していることを特徴とする、
漁具。
【請求項２】
前記複数の鉤は、複数種類の長さの鉤であることを特徴とする、
請求項１に記載の漁具。
【請求項３】
前記柄と前記複数の鉤との間に設けられ、所定以上の力が作用することで屈曲又は湾曲する可曲部を備えることを特徴とする、
請求項１又は２に記載の漁具。
【請求項４】
前記柄の先端近傍を照らす光源を備えることを特徴とする、
請求項１〜３のいずれかに記載の漁具。
【請求項５】
前記柄に着脱可能に連結する連結部を備えることを特徴とする、
請求項１〜４のいずれかに記載の漁具。
【発明の詳細な説明】
【技術分野】
【０００１】
本発明は、イカやタコ等の軟体動物を捕獲することに好適な漁具に関する。
【背景技術】
【０００２】
従来、イカやタコ等の軟体動物（獲物）を捕獲する漁具として、ギャフが広く用いられている（特許文献１参照）。
【０００３】
ギャフは、図５（Ａ）及び図５（Ｂ）に符号１００として示されるように、棒状の柄１１０と、この柄１１０の先端から放射状に延びた複数の鉤１２０と、を備えている。複数の鉤１２０は、それぞれ、柄１１０の基端側に湾曲している。
【０００４】
このようなギャフ１００は、釣り竿（図示省略）と一緒に使用される。具体的に、釣り竿（ロッド）にぶら下げられた釣り針に引っ掛けられた獲物ＸＡ１の下方に、柄１１０の先端を沈めてから（図５（Ａ）参照）、その後柄１１０を上方に引くことで、鉤１２０に獲物ＸＡ１を引っ掛ける（図５（Ｂ）参照）。小さい獲物ＸＡ１の場合、そのまま柄１１０を引くことで、獲物ＸＡ１を引き上げる。一方、大きい獲物ＸＡ１の場合、更にタモ（網）を用いて獲物ＸＡ１を引き上げる。
【先行技術文献】
【特許文献】
【０００５】
【特許文献１】特開２０１１−０４５２７１号公報（段落［０００２］及び図５参照）
【発明の概要】
【発明が解決しようとする課題】
【０００６】
このように、ギャフ１００を用いて獲物ＸＡ１を捕獲する場合、柄１１０の先端を獲物ＸＡ１の下方に沈める動作と、その後柄１１０を上方に引く動作と、のツーアクションが必要である。このため、柄１１０の先端を獲物ＸＡ１の下方に沈める際に、当該獲物ＸＡ１に刺激を与え、暴れさせてしまう可能性がある。獲物ＸＡ１のノシ（ジェット噴射による逃げる力）が大きいので、一旦暴れさせたら逃げられてしまう。
【０００７】
しかも、獲物ＸＡ１の中心ではなく、当該獲物ＸＡ１の横を狙って柄１１０の先端を沈める必要がある。このため、獲物ＸＡ１の動きを見極めつつ柄１１０の先端を適切な位置に沈めることを困難にしている。特に、波がある状態では獲物ＸＡ１の位置を確認することが難しいので、また、獲物ＸＡ１の姿勢によっては的となる部分が狭くなるので、尚更のことである。
【０００８】
そして、複数の鉤１２０が柄１１０を中心に設けられているので、獲物ＸＡ１を鉤１２０に引っ掛けることができた場合であっても、当該獲物ＸＡ１を複数の鉤１２０の一部に引っ掛けることしかできない。すなわち、少ない数の鉤１２０で獲物ＸＡ１の重量を支えることになる。このため、獲物ＸＡ１が鉤１２０から外れ易く、当該獲物ＸＡ１に逃げられる確率が高い。
【０００９】
また、複数の鉤１２０にうまく引っ掛けることができた場合であっても、水面付近では、獲物ＸＡ１に対して波による上方への力が作用するので、やはり、獲物ＸＡ１が鉤１２０から外れ易く、当該獲物ＸＡ１に逃げられる確率が高い。
【００１０】
さらに、斜め下にいる獲物ＸＡ１を引き上げる場合、真下にいる獲物ＸＡ１を引き上げる場合と比較して、引き上げる力が３割程度弱くなり、うまく引き上げることが難しい。このため、獲物ＸＡ１が真下に来るように釣り竿を操作しながらギャフ１００を操作することとなり、ギャフ１００の操作に集中できず、やはり、うまく引き上げることが難しい。
【００１１】
そして、コウイカやモンゴウイカ（カミナリイカ）のように硬い骨を有する獲物ＸＡ１の場合、肉が薄く、鉤１２０が引っ掛からないので、捕獲することができない。
【００１２】
本発明は、上記課題を鑑みてなされたものであり、初心者でも楽に獲物を捕獲することができる漁具を提供することを目的とする。
【課題を解決するための手段】
【００１３】
（１）本発明は、柄の先端を獲物に向け、該柄の先端に該獲物を引っ掛ける漁具であって、前記柄の先端から前記獲物に向けて放射状に延びて傘骨様に配置される複数の鉤を備え、前記複数の鉤の先端は、それぞれ、該複数の鉤に囲われる空間に向けた内側に屈曲又は湾曲していることを特徴とする、漁具である。
【００１４】
本発明によれば、獲物の中心に向けて銛のように突くことで、複数の鉤に囲われる空間の内側に当該獲物が入る。そして、複数の鉤の先端は、獲物が入った空間に向けて屈曲又は湾曲しているので、当該獲物は、大半の鉤の先端に引っ掛かる。
【００１５】
このように、銛のように突くというワンアクションで獲物を捕獲することができる。すなわち、獲物を、暴れ出す前に捕獲することができる。また、獲物が暴れて逃げようとした場合であっても、鉤に刺さる方向に逃げようとすることとなり、より確実に獲物を捕獲することになる。このため、ツーアクションを必要とする従来のギャフと比較して、獲物に逃げられてしまう可能性が低い。
【００１６】
しかも、獲物の中心に向けて銛のように突けばよい。すなわち、いわゆる顔面撃ちをするだけでよい。このため、獲物の横を狙って操作する従来のギャフと比較して、獲物の動きを見極めつつ操作することが容易である。
【００１７】
さらに、大半の鉤で獲物の重量を支えることができる。このため、少ない数の鉤で獲物の重量を支える従来のギャフと比較して、獲物が切れたり鉤から外れたりし難い。仮に、獲物が鉤から外れた場合であっても、当該獲物は、複数の鉤に囲われた空間に入っている（ホールドされている）ので、当該空間から逃げ出すことはできない。このため、斜め下から獲物を引き上げる場合であっても、うまく引き上げることができる。また、獲物が真下に来るように釣り竿を操作する必要もなく、本発明に係る漁具の操作に集中することができる。
【００１８】
これらのことから、獲物がどのような姿勢であっても、また、獲物がどのような種類のもの（例えば、上述したコウイカやモンゴウイカ）であっても、さらに、波による上方への力が作用した場合であっても、確実に捕獲することができるといえる。
【００１９】
結果、初心者でも楽に獲物を捕獲することができる。
【００２０】
（２）本発明はまた、前記複数の鉤は、複数種類の長さの鉤であることを特徴とする、上記（１）に記載の漁具である。
【００２１】
上記発明によれば、複数の鉤が獲物に引っ掛かる位置を分散させることができる。これにより、複数の鉤が獲物に引っ掛かる位置を分散させていない場合と比較して、獲物が全ての鉤から外れてしまう可能性が低くなる。
【００２２】
（３）本発明はまた、前記柄と前記複数の鉤との間に設けられ、所定以上の力が作用することで屈曲又は湾曲する可曲部を備えることを特徴とする、上記（１）又は（２）に記載の漁具である。
【００２３】
上記発明によれば、複数の鉤は、当該複数の鉤に囲われる空間の内側に入った獲物の重量によって垂れ下がる。このため、柄を傾ける度合を変更した場合であっても、鉤の先端の向きを一定に保つことができる。これにより、獲物が鉤から外れることを防止できる。
【００２４】
（４）本発明はまた、前記柄の先端近傍に照らす光源を備えることを特徴とする、上記（１）〜（３）のいずれかに記載の漁具である。
【００２５】
上記発明によれば、獲物を狙い易くなる。特に、暗い場合に有効である。
【００２６】
（５）本発明はまた、前記柄に着脱可能に連結する連結部を備えることを特徴とする、上記（１）〜（４）のいずれかに記載の漁具である。
【００２７】
従来のギャフなどの漁具は、柄の先端に着脱可能に設けられているものが多い。このため、上記発明によれば、既存の漁具の柄に取り付けることで利用することができる。すなわち、既存の漁具の柄を活用することができる。
【発明の効果】
【００２８】
本発明の上記（１）〜（５）に記載の漁具によれば、初心者でも楽に獲物を捕獲することができる。
【図面の簡単な説明】
【００２９】
【図１】本発明の実施形態に係るギャフの正面図である。
【図２】ギャフの上面図である。
【図３】（Ａ）〜（Ｃ）はギャフの使い方を説明する概略図である。
【図４】別の実施形態に係るギャフの正面図である。
【図５】（Ａ）及び（Ｂ）は従来のギャフの使い方を説明する概略図である。
【発明を実施するための形態】
【００３０】
以下、図面を参照して、本発明に係るギャフ１について詳細に説明する。
【００３１】
まず、図１及び図２を用いて、ギャフ１の構成について説明する。図１は、ギャフ１の正面図である。図２は、ギャフ１の上面図である。なお、各図において、図面の簡略化のため、一部の構成の図示を適宜省略する。
【００３２】
図１及び図２に示されるギャフ１は、イカやタコ等の軟体動物（獲物）ＸＡ１（図３参照）を捕獲する漁具であり、釣り竿（図示省略）と一緒に使用される。具体的に、釣り竿（ロッド）にぶら下げられた釣り針に引っ掛けられた獲物ＸＡ１に、柄５の先端を向け、当該柄５の先端に当該獲物ＸＡ１を引っ掛ける。小さい獲物ＸＡ１の場合、そのまま柄５を引くことで、獲物ＸＡ１を引き上げる。一方、大きい獲物ＸＡ１の場合、更にタモ（網）を用いて獲物ＸＡ１を引き上げる。
【００３３】
具体的に、ギャフ１は、基端側から順に、連結部１０、可曲部１１、鉤部１２を備えている。
【００３４】
連結部１０は、棒の表面に螺旋状の溝が溝切られた形状を呈する。この連結部１０は、棒状の柄５の先端に設けられたボルト穴に、着脱可能に連結される。
【００３５】
可曲部１１は、弾力性のあるコイルスプリングからなり、所定以上の力が作用することで屈曲又は湾曲する（図３（Ｃ）参照）。
【００３６】
鉤部１２は、複数の鉤１３を備えている。これら複数の鉤１３は、細い金属棒からなり、弾力を有する。そして、複数の鉤１３は、柄５の先端（図１における上方）から獲物ＸＡ１（図１における下方）に向けて放射状に延びて傘骨様に配置される。そして、複数の鉤１３の先端は、それぞれ、当該複数の鉤１３に囲われる空間（本実施形態では、円錐型の空間）に向けた内側に屈曲又は湾曲している。
【００３７】
要するに、鉤１３の先端が獲物ＸＡ１にぶつかった瞬間に外側に開き（図３（Ｂ）参照）、内側に獲物ＸＡ１が引っ掛かる構造となっている。すなわち、鉤１３の先端を獲物ＸＡ１にぶつけるだけで、後は自動的に鉤１３が開き、獲物ＸＡ１が引っ掛かる構造となっている。
【００３８】
次に、図３（Ａ）〜図３（Ｃ）を用いて、ギャフ１の使い方について説明する。図３（Ａ）〜図３（Ｃ）は、ギャフ１の使い方を説明する概略図である。
【００３９】
まず、図３（Ａ）に示されるように、水中の獲物ＸＡ１を目掛けて、銛のように突く。
【００４０】
そして、図３（Ｂ）に示されるように、鉤１３の先端が獲物ＸＡ１に当たると、当該鉤１３の先端が丸くなって内側にカーブしているので、表面に沿って滑り、また、鉤１３に弾力があるので、ギャフ１全体が開いていく。
【００４１】
また、図３（Ｃ）に示されるように、鉤１３の先端が獲物ＸＡ１の側面まで滑ると、鉤１３の先端が鉤型になっているので、鉤１３の先端によって、獲物ＸＡ１が引っ掛かる。
【００４２】
さらに、ギャフ１を水中から引っ張り上げると、獲物ＸＡ１の重量によって、鉤１３の先端が当該獲物ＸＡ１にくい込む。また、可曲部１１がたわみ、鉤部１２全体が垂直に垂れ下がり、鉤１３一本当たりに掛かる獲物ＸＡ１の重量が平均的に分散される。
【００４３】
以上説明したように、本発明に係るギャフ（例えば、ギャフ１）は、柄（例えば、柄５）の先端に獲物（例えば、獲物ＸＡ１）に向け、当該柄（例えば、柄５）の先端に当該獲物（例えば、獲物ＸＡ１）を引っ掛ける漁具であって、柄（例えば、柄５）の先端から獲物（例えば、獲物ＸＡ１）に向けて放射状に延びて傘骨様に配置される複数の鉤（例えば、鉤１３）を備え、複数の鉤（例えば、鉤１３）の先端は、それぞれ、当該複数の鉤（例えば、鉤１３）に囲われる空間に向けた内側に屈曲又は湾曲している。これにより、獲物ＸＡ１の中心に向けて銛のように突くことで、複数の鉤１３に囲われる空間の内側に当該獲物ＸＡ１が入る。そして、複数の鉤１３の先端は、獲物ＸＡ１が入った空間に向けて屈曲又は湾曲しているので、当該獲物ＸＡ１は、大半の鉤１３の先端に引っ掛かる。
【００４４】
このように、銛のように突くというワンアクションで獲物ＸＡ１を捕獲することができる。すなわち、獲物ＸＡ１を、暴れ出す前に捕獲することができる。また、獲物ＸＡ１が暴れて逃げようとした場合であっても、鉤１３に刺さる方向に逃げようとすることとなり、より確実に獲物ＸＡ１を捕獲することになる。このため、ツーアクションを必要とする従来のギャフ１００（図５参照）と比較して、獲物ＸＡ１に逃げられてしまう可能性が低い。
【００４５】
しかも、獲物ＸＡ１の中心に向けて銛のように突けばよい。すなわち、いわゆる顔面撃ちをするだけでよい。このため、獲物ＸＡ１の横を狙って操作する従来のギャフ１００と比較して、獲物ＸＡ１の動きを見極めつつ操作することが容易である。
【００４６】
さらに、大半の鉤１３で獲物ＸＡ１の重量を支えることができる。このため、少ない数の鉤１３で獲物ＸＡ１の重量を支える従来のギャフ１００と比較して、獲物ＸＡ１が切れたり鉤１３から外れたりし難い。仮に、獲物ＸＡ１が鉤１３から外れた場合であっても、当該獲物ＸＡ１は、複数の鉤１３に囲われた空間に入っている（ホールドされている）ので、当該空間から逃げ出すことはできない。このため、斜め下から獲物ＸＡ１を引き上げる場合であっても、うまく引き上げることができる。また、獲物ＸＡ１が真下に来るように釣り竿（図示省略）を操作する必要もなく、ギャフ１の操作に集中することができる。
【００４７】
これらのことから、獲物ＸＡ１がどのような姿勢であっても、また、獲物ＸＡ１がどのような種類のものであっても、さらに、波による上方への力が作用した場合であっても、確実に捕獲することができるといえる。
【００４８】
結果、初心者でも楽に獲物ＸＡ１を捕獲することができる。
【００４９】
そして、本発明に係るギャフ（例えば、ギャフ１）は、柄（例えば、柄５）と複数の鉤（例えば、鉤１３）との間に設けられ、所定以上の力が作用することで屈曲又は湾曲する可曲部（例えば、可曲部１１）を備えている。これにより、複数の鉤１３は、当該複数の鉤１３に囲われる空間の内側に入った獲物ＸＡ１の重量によって垂れ下がる。このため、柄５を傾ける度合を変更した場合であっても、鉤１３の先端の向きを一定に保つことができる。これにより、獲物ＸＡ１が鉤１３から外れることを防止できる。
【００５０】
従来のギャフ１００などの漁具は、柄の先端に着脱可能に設けられているものが多い。このような状況において、本発明に係るギャフ（例えば、ギャフ１）は、柄（例えば、柄５）に着脱可能に連結する連結部（例えば、連結部１０）を備えている。このため、既存の漁具の柄に取り付けることで利用することができる。すなわち、既存の漁具の柄を活用することができる。
【００５１】
本発明は、上記実施形態に限られるものではなく、その趣旨及び技術思想を逸脱しない範囲で種々の変形が可能である。
【００５２】
すなわち、上記実施形態において、各構成の位置、大きさ、形状、材質、向き、数量などは適宜変更できる。例えば、鉤１３の本数が挙げられる。
【００５３】
あるいは、上記実施形態において、鉤１３の長さが一定の場合を例に説明したが、複数の鉤１３は、複数種類の長さの鉤１３であってもよい。例えば、図４に示されるように、ギャフ１は、二種類の長さの鉤１３を備えるようにしてもよい。
【００５４】
これにより、複数の鉤１３が獲物ＸＡ１に引っ掛かる位置を分散させることができる。結果、複数の鉤１３が獲物ＸＡ１に引っ掛かる位置を分散させていない上記実施形態と比較して、獲物ＸＡ１が全ての鉤１３から外れてしまう可能性が低くなる。
【００５５】
あるいは、上記実施形態において、柄５の先端を照らす光源（例えば、レーザーポインター）を備えるようにしてもよい。
【００５６】
これにより、獲物ＸＡ１を狙い易くなる。特に、暗い場所に有効である。
【符号の説明】
【００５７】
１  ギャフ（漁具）
５  柄
１０  連結部
１１  可曲部
１２  鉤部
１３  鉤
ＸＡ１  獲物
【図１】
2014011981.tif 000003
【図２】
2014011981.tif 000004
【図３】
2014011981.tif 000005
【図４】
2014011981.tif 000006
【図５】
2014011981.tif 000007
【手続補正書】
【提出日】平成25年1月28日(2013.1.28)
【手続補正１】
【補正対象書類名】特許請求の範囲
【補正対象項目名】全文
【補正方法】変更
【補正の内容】
【特許請求の範囲】
【請求項１】
柄の先端を獲物に向け、該柄の先端に該獲物を引っ掛ける漁具であって、
前記柄の先端から前記獲物に向けて放射状に延びて傘骨様に配置される複数の鉤を備え、
前記複数の鉤の先端は、それぞれ、該複数の鉤に囲われる三次元空間に向けた内側に屈曲又は湾曲していることを特徴とする、
漁具。
【請求項２】
前記複数の鉤は、複数種類の長さの鉤であることを特徴とする、
請求項１に記載の漁具。
【請求項３】
前記柄と前記複数の鉤との間に設けられ、所定以上の力が作用することで屈曲又は湾曲する可曲部を備えることを特徴とする、
請求項１又は２に記載の漁具。
【請求項４】
前記柄の先端近傍を照らす光源を備えることを特徴とする、
請求項１〜３のいずれかに記載の漁具。
【請求項５】
前記柄に着脱可能に連結する連結部を備えることを特徴とする、
請求項１〜４のいずれかに記載の漁具。
【手続補正２】
【補正対象書類名】明細書
【補正対象項目名】００１３
【補正方法】変更
【補正の内容】
【００１３】
（１）本発明は、柄の先端を獲物に向け、該柄の先端に該獲物を引っ掛ける漁具であって、前記柄の先端から前記獲物に向けて放射状に延びて傘骨様に配置される複数の鉤を備え、前記複数の鉤の先端は、それぞれ、該複数の鉤に囲われる三次元空間に向けた内側に屈曲又は湾曲していることを特徴とする、漁具である。